(57)【要約】【課題】１３．５６ＭＨｚ帯用の非接触式データキャリアに磁性体シートを貼着することで金属対応の非接触式データキャリアとして使うことができる磁性体シート、および、この磁性体シートを備えた金属対応の非接触式データキャリアを提供する。【解決手段】この磁性体シートの磁性体層は、アンテナの外形と同等もしくはそれより僅かに大きく形成されており、被着体の金属部分によるアンテナの共振周波数の上昇分を実質的に相殺する透磁率及び厚さを有する。例えば、アンテナの外形が４５ｍｍ×２７ｍｍの場合、磁性体シートの磁性体層は、（ａ）その大きさが４８ｍｍ×３０ｍｍ程度で、（ｂ）透磁率が３３以上４７以下で厚さが８０μｍ以上１６０μｍ以下、または、透磁率が１５以上２８以下で厚さが２２０μｍ以上２８０μｍ以下、である。【選択図】図１１
2007243468.tif 000002
【特許請求の範囲】
【請求項１】
１３．５６ＭＨｚ帯用のアンテナの形成されたアンテナ基板を有する非接触式データキャリアと前記非接触式データキャリアが装着される金属部分を有する被着体との間に配置して用いられる磁性体シートであって、
前記磁性体シートの磁性体層は、前記アンテナを被覆するように前記アンテナの外形と同等もしくはそれより僅かに大きく形成され、かつ、前記被着体の金属部分による前記アンテナの共振周波数の上昇分を実質的に相殺する透磁率及び厚さである
ことを特徴とする非接触式データキャリア用磁性体シート。
【請求項２】
１３．５６ＭＨｚ帯用のアンテナの形成されたアンテナ基板を有する非接触式データキャリアと前記非接触式データキャリアが装着される金属部分を有する被着体との間に配置して用いられる磁性体シートであって、
前記磁性体シートの磁性体層は、
（ａ）その大きさが、外形面積が８８０ｍｍ２以上２５００ｍｍ２以下の前記アンテナの外形と同等もしくはそれより僅かに大きく、
かつ、
（ｂ）その透磁率が３３以上４７以下で厚さが８０μｍ以上１６０μｍ以下であるか、または、その透磁率が１５以上２８以下で厚さが２２０μｍ以上２８０μｍ以下である
ことを特徴とする非接触式データキャリア用磁性体シート。
【請求項３】
１３．５６ＭＨｚ帯用のアンテナの形成されたアンテナ基板を有する非接触式データキャリアと前記非接触式データキャリアが装着される金属部分を有する被着体との間に配置して用いられる磁性体シートであって、
前記磁性体シートの磁性体層は、
（ａ）その大きさが、外形面積が８８０ｍｍ２以上１６００ｍｍ２以下の前記アンテナの外形と同等もしくはそれより僅かに大きく、
かつ、
（ｂ）その透磁率が３３以上４７以下で厚さが８０μｍ以上１６０μｍ以下であるか、または、その透磁率が１５以上２８以下で厚さが２２０μｍ以上２８０μｍ以下である
ことを特徴とする非接触式データキャリア用磁性体シート。
【請求項４】
前記磁性体層は、可撓性を有する厚さ１０μｍ以上５０μｍ以下の絶縁性フィルム上に一体に形成されていることを特徴とする請求項１乃至３のいずれか１項に記載の非接触式データキャリア用磁性体シート。
【請求項５】
前記磁性体シートの少なくとも片面には厚さが２５μｍ以上１６０μｍ以下の接着層が積層一体化されていることを特徴とする請求項１乃至４のいずれか１項に記載の非接触式データキャリア用磁性体シート。
【請求項６】
請求項１乃至５のいずれか１項に記載の複数個の磁性体シートが、長尺のシート上に所定間隔で配置され剥離可能に貼着されて、ロール状に巻回されていることを特徴とする非接触式データキャリア用磁性体シートロール。
【請求項７】
前記アンテナ基板と請求項１乃至５のいずれか１項に記載の前記磁性体シートとが、一体に積層されてなることを特徴とする、金属部分を有する被着体用の非接触式データキャリア。
【発明の詳細な説明】
【技術分野】
【０００１】
本発明は、非接触で電磁誘導方式または電磁結合方式により外部のリーダライタと信号を送受信する非接触式データキャリアに関する。特に、１３．５６ＭＨｚ帯用の非接触式データキャリアを金属製物品の金属面に貼着させて用いるにあたり、アンテナ面と金属面との間に介在させるのに適した構成の磁性体シートに関する。
【背景技術】
【０００２】
従来から、電磁誘導方式または電磁結合方式を採用した１３．５６ＭＨｚ帯の非接触式データキャリアを金属面に近接させた場合には、その金属の影響により、非接触式データキャリアと外部のリーダライタとが交信不能になることがよく知られている。これは、リーダライタからの磁束が非接触式データキャリアだけでなく金属面に達し、その磁束によって金属に渦電流が発生して反磁界が生じるからである。
【０００３】
そこで、非接触式データキャリアを金属面に近接させる場合には、非接触式データキャリアがリーダライタと交信不能になるのを避けるため、非接触式データキャリアのアンテナ面と対象物の被着面である金属面との間に、高透磁率材料からなる磁性体層を介在させるとよいことが知られている（例えば特許文献１）。高透磁率材料からなる磁性体層を介在させることで、外部のリーダライタから与えられる送受信用の磁束は磁性体層を通ってリーダライタ側に導かれるようになり、非接触式データキャリアはリーダライタと交信可能となると考えられている。さらに、介在させる磁性体層の透磁率が高いほど、また、磁性体層の厚さが厚いほど、金属の影響を回避できるので、通信特性がよくなると考えられている。
【特許文献１】特許第３６４７４４６号公報
【発明の開示】
【発明が解決しようとする課題】
【０００４】
しかし、金属等の導体や磁性体の影響のないところで用いるように設計された通常の非接触式データキャリアを、金属部分を有する被着体の金属面との間に高透磁率の磁性体シートを介在させて金属面に貼着しても、直ちにその非接触式データキャリアがリーダライタと交信可能になるというものではない。例えば、透磁率が高くかつ厚い磁性体層を積層すると、アンテナコイルのインダクタンスが上昇しすぎることによりアンテナの共振周波数が低下しすぎるため、あらかじめアンテナ自体を高い周波数に設定しておかなければ、１３．５６ＭＨｚ帯のリーダライタと交信できない。
【０００５】
そのため、従来は、用いる磁性体シートを変えるたびに、金属部分を有する被着体用の非接触式データキャリア（以下、金属対応の非接触式データキャリアともいう）のアンテナを設計していた。非接触式データキャリアのアンテナの外形が同じ場合であっても、互いにアンテナ及び非接触式データキャリアを共用することができないという問題があった。難しいアンテナ設計を何度も行うことになるので、生産コスト低減及び生産性向上の阻害要因ともなっていた。
【０００６】
そこで、本発明は、上記問題を解消するためになされたもので、金属等の導体や磁性体の影響のないところで使うように設計された通常の非接触式データキャリアに磁性体シートを積層することで金属対応の非接触式データキャリアとして使うことができる磁性体シート、および、この磁性体シートを備えた金属対応の非接触式データキャリアを提供することを目的とする。
【課題を解決するための手段】
【０００７】
上記目的を達成するために、本発明の一態様による非接触式データキャリア用磁性体シートは、１３．５６ＭＨｚ帯用のアンテナの形成されたアンテナ基板を有する非接触式データキャリアと前記非接触式データキャリアが装着される金属部分を有する被着体との間に配置して用いられる磁性体シートであって、前記磁性体シートの磁性体層は、前記アンテナを被覆するように前記アンテナの外形と同等もしくはそれより僅かに大きく形成され、かつ、前記被着体の金属部分による前記アンテナの共振周波数の上昇分を実質的に相殺する透磁率及び厚さであることを特徴とする。
【０００８】
本発明の非接触式データキャリア用磁性体シートは、外部のリーダライタからの電磁波により１３．５６ＭＨｚ帯の信号を受けた際にリーダライタのアンテナ及び／または非接触式データキャリアのアンテナと被着体の金属部分との相互作用により生じる非接触式データキャリアのアンテナの共振周波数の上昇分を相殺する透磁率及び厚さの磁性体層を備えている。すなわち、アンテナ基板のみのときのアンテナの共振周波数と、アンテナ基板に磁性体シートを貼着してその磁性体シート側を被着体の金属面に貼着させたときの共振周波数とが実用的な範囲で同等となるようにしている。したがって、磁性体及び金属に近接させずに用いるためのアンテナ基板またはこのアンテナ基板を備えた非接触式データキャリアに、この磁性体シートを貼着し、貼着した磁性体シート側を金属面側に貼着することで、貼着前と同じように外部のリーダライタと交信することができる。
【０００９】
本発明の基本的な考え方は、磁性体シート毎にアンテナを設計するのではなく、アンテナの外形に合わせて適切に選定された磁性体シートを提供することにある。すなわち、本発明の基本的な考え方は、アンテナ基板のみのときのアンテナの共振周波数と、アンテナ基板に磁性体シートを貼着してその磁性体シート側を被着体の金属面に貼着させたときの共振周波数とが実質的に同等となるように、アンテナの外形に応じて、磁性体層の透磁率及び厚さを適切に選択することによって、磁性体シートを提供しようとすることにある。
【００１０】
磁性体シートを選択するための要素は、磁性体層の透磁率及び厚さのほかにも、表面抵抗率、密度、熱伝導率などいろいろあるが、これらすべての要素を考慮して磁性体シートを選択することは困難であるため、現実的な範囲で要素を限定して選択する必要がある。そこで、本発明者は、アンテナの周波数に影響を与える特性としては、アンテナコイルのインダクタンスに大きな影響を与えるという点で、磁性体層の透磁率と厚さが特に重要であると考えた。
【００１１】
すなわち、本発明者は、アンテナの周波数に影響を与える特性として磁性体層の透磁率と厚さが重要であると考え、実験を重ねた結果、アンテナの外形が実質的に同等の範囲内であれば、アンテナ近傍の金属部分の影響による周波数上昇分と、磁性体シートをアンテナ基板に密着させることによる周波数低下分とを、実質的に相殺する磁性体層の透磁率と厚さを適切に選択することは可能であるとの知見を得た。そこで、本発明に至ったものである。
【００１２】
ここで、「１３．５６ＭＨｚ帯用のアンテナ」とは、周波数が１３．５６ＭＨｚ帯の信号を送受信するために構成されたアンテナをいう。このアンテナの形成されたアンテナ基板を有する非接触式データキャリアを、金属の影響を受けないところで貼着して利用する場合に、１３．５６ＭＨｚ帯の信号を送受信できるように調整されたアンテナを指す。１３．５６ＭＨｚ帯においては、電磁誘導方式または電磁結合方式により外部のリーダライタ等と交信するため、アンテナは、コイル状またはループ状とされている。
【００１３】
また、本明細書において、「透磁率」とは、１３．５６ＭＨｚ帯の電磁波における比透磁率（初透磁率）μのことである。なお、被着体の「金属面」とは、防錆や装飾等を目的として外面が塗装やフィルム等で被覆されている場合も含む概念である。外面が被覆されていても、その金属の影響により周波数が上昇する場合があるからである。
【００１４】
本明細書において、「アンテナの外形面積」とは、非接触式データキャリアのアンテナを構成するアンテナコイルの導体パターンの最外周の周回パターンで区切られた領域の形状（アンテナの外形）および大きさ（アンテナサイズ）に基づいて算出された面積である。例えば、アンテナの外形が略矩形の場合には、その矩形の縦の長さに横の長さを乗じて算出された面積である。
【００１５】
本発明によれば、非接触式データキャリア用磁性体シートは、磁性体層を有し、その磁性体層は、アンテナを被覆するようにアンテナの外形と同等もしくはそれより僅かに大きく形成されている。これは、アンテナコイルの最内周の内側部分も含めて覆い、かつ、アンテナコイルの最外周の導体パターンが露出しないように確実に覆うことができるが無用に大きくない程度に大きくという趣旨である。磁性体シートをアンテナ基板に重ねたときに、磁性体シートの磁性体層の縁部がアンテナコイルの縁部を越えた幅が、どの場所も、例えば０ｍｍ以上２ｍｍ以下程度であることが好ましい。磁性体シートの磁性体層の平面外形は、アンテナ面に直行する方向から見たときの非接触式データキャリアのアンテナ基板の平面外形より大きくても小さくてもかまわない。
【００１６】
すなわち、本発明の非接触式データキャリア用磁性体シートは、外形の点でも、その磁性体層の透磁率及び厚さの点でも、この磁性体シートの磁性体層の外形と同等もしくは、それより僅かに小さい外形のアンテナを具備したアンテナ基板に積層させて、この磁性体シート側を管理対象物品等の金属面に載置または貼着して用いるのに好適なように構成されている。
【００１７】
例えば、アンテナの外形面積が８８０ｍｍ２以上２５００ｍｍ２以下のアンテナ基板に積層して用いる場合には、本発明の磁性体シートの磁性体層は、（ａ）その大きさが、そのアンテナの外形と同等若しくはそれより僅かに大きく、かつ、（ｂ）その透磁率が３３以上４７以下で厚さが８０μｍ以上１６０μｍ以下であるか、または、その透磁率が１５以上２８以下で厚さが２２０μｍ以上２８０μｍ以下であることが好適である。この範囲の透磁率及び厚さの磁性体層を有する磁性体シートは、アンテナの外形面積が８８０ｍｍ２以上２５００ｍｍ２以下、好ましくは、アンテナの外形面積が８８０ｍｍ２以上１６００ｍｍ２以下、さらに好ましくは、アンテナの外形が４５ｍｍ×２７ｍｍのアンテナ基板に貼着した場合に、磁性体シートの（磁性体層の）大きさがそのアンテナの外形と同等もしくはそれより僅かに大きく形成されていることを前提として、アンテナ基板のみのときのアンテナの共振周波数と、アンテナ基板に磁性体シートを貼着してその磁性体シート側を金属面に貼着させたときの共振周波数とを、実用的な範囲で同等とすることができる。
【００１８】
外形面積が８８０ｍｍ２以上２５００ｍｍ２以下の範囲の外形としては、例えば、４０ｍｍ×２２ｍｍの矩形（外形面積は８８０ｍｍ２）、３０ｍｍ×３０ｍｍの正方形（同９００ｍｍ２）、直径３４ｍｍの円形（同９０７ｍｍ２）、４５ｍｍ×２７ｍｍの矩形（同１２１５ｍｍ２）、直径４０ｍｍの円形（同１２５６ｍｍ２）、直径４４ｍｍの円形（同１５２０ｍｍ２）、５０ｍｍ×３２ｍｍの矩形（同１６００ｍｍ２）、４０ｍｍ×４０ｍｍの正方形（同１６００ｍｍ２）、直径５０ｍｍの円形（同１９６２ｍｍ２）、５５ｍｍ×３６ｍｍの矩形（同１９８０ｍｍ２）、４５ｍｍ×４５ｍｍの正方形（同２０２５ｍｍ２）、６０ｍｍ×４０ｍｍの矩形（同２４００ｍｍ２）、直径５６ｍｍの円形（同２４６２ｍｍ２）、５０ｍｍ×５０ｍｍの正方形（同２５００ｍｍ２）などが挙げられる。
【００１９】
本発明の非接触式データキャリアは、金属部分を有する被着体の金属面に貼着するためのもので、前記アンテナ基板と前記磁性体シートとが一体に積層されてなることを特徴とする。
【発明の効果】
【００２０】
本発明によれば、１３．５６ＭＨｚ帯用の非接触式データキャリアまたはそのアンテナ基板に、そのまま磁性体シートを貼着することで、金属対応の非接触式データキャリアとして使うことができる非接触式データキャリア用磁性体シート、及びその磁性体シートを備えた金属対応の非接触式データキャリアを提供することができる。
【００２１】
したがって、本発明によれば、少なくとも所定の外形面積を有するアンテナに関していえば、磁性体シート毎にアンテナ設計をしなくてもよいので、金属対応の非接触式データキャリアの生産コストの低減または生産性向上が可能となる。
【発明を実施するための最良の形態】
【００２２】
以下、本発明の実施形態を図面および表を参照して説明する。同じものには同じ符号を付し、原則として重複する説明を省略する。なお、本発明の実施形態を図面に基づいて記述するが、それらの図面は図解のために提供されるものであり、本発明はそれらの図面に限定されるものではない。
【００２３】
図１は、本実施形態に係る磁性体シートの一例を示す平面図、図２はその断面図である。図１および図２に示すように、磁性体シート１０は、基材フィルムＰ１を基材として、高透磁率の磁性体から構成された所定厚の磁性体層１１が積層一体化された所定形状の外形および面積を有するシート状（板状）のものである。磁性体シート１０の一方の面には接着層１２が積層され、その接着層１２の接着力により剥離紙Ｓ１に剥離可能に貼着されている。なお、本明細書において、剥離紙に貼着されている状態のものも、剥離紙から剥がされた状態のものも、アンテナ基板や金属面に貼着された状態のものも、いずれも、磁性体シートと呼ぶ。
【００２４】
この磁性体シート１０は、例えば、幅４８ｍｍ×長さ３０ｍｍの矩形または略矩形（四隅が丸みを帯びた長方形）とされている。これは、外形が幅４５ｍｍ×長さ２７ｍｍの矩形状のアンテナ（外形面積が１２１５ｍｍ２）面を実質的に覆い、かつ、大きすぎない面積および形状である。このように、この磁性体シート１０は、非接触式データキャリアのアンテナの外形を覆うように実質的に同等若しくはそれより僅かに大きく形成されているので、磁性体シート１０の外形を改めて切断することなく、非接触式データキャリアのアンテナ基板に貼着することができる。この磁性体シート１０を、アンテナ基板と被着体の金属面との間に積層させて金属面に貼着することで、リーダライタからの磁束を金属面に対して遮蔽することができる。
【００２５】
図１および図２に示すように、磁性体シート１０の基材フィルムＰ１とその上に積層一体化された磁性体層１１とは、全く重なるように同じ平面形状を有している。すなわち、磁性体シート１０の外形と、磁性体シート１０の磁性体層１１の外形とは同じである。この例に限らず、基材フィルムＰ１の外形は、磁性体層１１の外形よりも僅かに大きく形成されていてもよい。その場合でも、磁性体シート１０が電磁的に機能するのは、磁性体層の部分であると考えられる。したがって、以下では、磁性体シートの磁性体層の外形のことを、磁性体シートの外形として説明する。
【００２６】
なお、磁性体シートおよびアンテナの外形は、矩形状に限られず、円形、楕円形、瓢箪形、キャラクター形状その他の形状であってもよい。磁性体シートの形状および大きさは、アンテナの外形サイズに合わせて適宜定められる。すなわち、アンテナの外形を実質的に覆いかつ大きすぎないように磁性体シートの形状及び大きさが定められる。例えば、アンテナの外形が幅４５ｍｍ×長さ２７ｍｍ程度の矩形であれば、磁性体シートの外形は、幅と長さがそれぞれ同等かせいぜい４ｍｍ程度大きい程度の矩形とするのが好ましい。これは、アンテナの周縁部に０ｍｍ〜２ｍｍ程度の余裕を持たせることで、確実にアンテナを覆うためである。逆に言うと、磁性体シートの外形が例えば幅４８ｍｍ×長さ３０ｍｍの矩形であれば、アンテナの外形が幅４４ｍｍ以上４８ｍｍ以下、長さ２６ｍｍ以上３０ｍｍ以下の非接触式データキャリア本体に貼着する場合に好適である。
【００２７】
また、本実施形態において、磁性体シート１０の主な構成要素である磁性体層１１の厚さおよび透磁率は、金属部分を有する被着体（被着対象物品）の金属部分の影響により生じるアンテナの共振周波数上昇分を実質的に相殺する周波数降下を生じさせるように設定されている。すなわち、非接触式データキャリア本体のみのときのアンテナの共振周波数と、その非接触式データキャリア本体をそのアンテナ面と金属面との間に磁性体シートを積層させて金属面に貼着したときのアンテナの共振周波数とが、実用的な範囲内で同等となるように、磁性体層１１の厚さおよび透磁率を設定している。
【００２８】
具体的には、磁性体層１１の厚さ及び透磁率は、非接触式データキャリアのアンテナの外形面積に合わせて適した値が選択される。例えば、非接触式データキャリアのアンテナの主要構成部分であるアンテナコイルの最外周の外形が幅４５ｍｍ×長さ２７ｍｍの矩形状の場合など、アンテナの外形面積が８８０ｍｍ２以上２５００ｍｍ２以下の場合、好ましくは、８８０ｍｍ２以上１６００ｍｍ２以下の場合には、磁性体シートの磁性層は、透磁率が３３以上４７以下で厚さが８０μｍ以上１６０μｍ以下、または、透磁率が１５以上２８以下で厚さが２２０μｍ以上２８０μｍ以下に設定される。これを、磁性体シート１０の磁性層１１の外形で言い換えれば、磁性体シー１０の外形面積が８８０ｍｍ２以上２９１６ｍｍ２以下の場合には、磁性体シートの磁性層は、透磁率が３３以上４７以下で厚さが８０μｍ以上１６０μｍ以下、または、透磁率が１５以上２８以下で磁性層の厚さが２２０μｍ以上２８０μｍ以下に設定される。これは、後述する実験結果に基づくものである。
【００２９】
なお、外形面積８８０ｍｍ２を有する外形としては、４０ｍｍ×２２ｍｍの長方形が例示され、外形面積２５００ｍｍ２を有する外形としては、５０ｍｍ×５０ｍｍの正方形が例示され、外形面積２９１６ｍｍ２を有する外形としては、５４ｍｍ×５４ｍｍの正方形が例示される。また、外形面積１６００ｍｍ２を有する外形としては、５０ｍｍ×３２ｍｍの長方形や４０ｍｍ×４０ｍｍの正方形が例示される。
【００３０】
この磁性体層１１に使用される磁性体としては、このような透磁率を有し、所定厚さに積層できるものであればよく、特に限定されないが、具体的には、Ｍｎ−Ｍｇ−Ｚｎフェライト、Ｍｎ−Ｚｎフェライト、Ｎｉ−Ｚｎフェライト、六方晶系フェライトなどの高絶縁性を有する磁性材料が好適である。また、磁性体層１１の形成において、上記したフェライトなどの磁性粉末と樹脂バインダを混合したペーストを用いてもよい。この樹脂バインダとしては、熱可塑性樹脂を主体とし、必要により磁性粉末と樹脂との親和力を向上させるシラン系、チタネート系、アルミ系などのカップリング剤、樹脂の流動性を高めるフタル酸系、スルホン酸系、リン酸系、エポキシ系などの可塑剤、混合物の流動性を高めるステアリン酸、ステアリン酸塩、脂肪酸アミド、ワックス類などの滑剤及び充填物の酸化を防止するヒーンダードフェノル系、硫黄系、リン系などの酸化防止剤を適宜添加したものが好適である。
【００３１】
磁性体シート１０の基材フィルムＰ１としては、例えばポリエチレンテレフタレート（ＰＥＴ）などの電気絶縁性かつ可撓性を有する合成樹脂を一定の厚さのフィルム状に構成したものが好適である。その厚さは、基材フィルムとして十分な程度の強度を持ちつつ、不要に厚くならない程度の厚さであればよい。例えば、１０μｍ以上５０μｍ以下が好ましく、２０μｍ以上４０μｍ以下がより好ましい。
【００３２】
このように、磁性体シート１０は、比較的高い引張応力や曲げ応力などに耐え得るように、磁性体層１１が基材フィルムＰ１と一体化されて補強された構成となっているので、磁性体シート１０の製造に際して、長尺のシートまたはフィルムをロール状に巻回したロールの形態で扱うことが容易となる。これにより、通常の印刷装置やラベル加工装置を用いて、ロールの形態で、接着層（粘着層）の積層や外形抜き加工ができるので、磁性体シートの生産性を高めることができる。また、磁性体シート１０の基材フィルムＰ１は、絶縁性かつ非磁性であるから、この基材フィルムＰ１面側を金属面に載置すれば、金属面が鉄板などの強磁性体の表面であっても、支障なく、本発明の効果を得ることができる。
【００３３】
図２に示す接着層１２は、磁性体シート１０を、アンテナ基板を含む非接触式データキャリア本体または、貼着対象の金属面に接着するためのもので、具体的には、アクリル系、ゴム系、シリコン系接着剤を使用した両面テープなどで構成される。また、接着層１２をアクリル系接着剤使用の両面テープ、特に、再剥離（弱粘着）タイプのアクリル系接着剤を使用した両面テープなどで形成し、非接触式データキャリア本体または金属面に対して着脱可能に構成してもよい。
【００３４】
接着層１２の表面を剥離可能に覆っている剥離紙Ｓ１は、磁性体シート１０を非接触式データキャリア本体または金属面に接着するまで接着層１２を被覆するもので、例えば、クラフト紙、グラシン紙などに剥離剤を塗布して形成される。
【００３５】
なお、図３に示すように、磁性体シート１０の他方の面にも、接着層１３および剥離紙Ｓ２を設けてもよい。接着層１３は接着層１２と同様に構成することができるが、異なる構成でもよい。剥離紙Ｓ２も、剥離紙Ｓ１と同様に構成することができるが、異なる構成でもよい。このように、磁性体シート１０の両面に接着層１２、１３を設けることで、磁性体シート１０を非接触式データキャリア本体および金属面へ容易に貼着することができる。
【００３６】
磁性体シート１０は、非接触式データキャリア本体のみのときのアンテナの共振周波数と、その非接触式データキャリア本体をそのアンテナ面と金属面との間に磁性体シートを積層させて金属面に貼着したときのアンテナの共振周波数とが、実用的な範囲内で同等となるように、磁性体層１１の厚さおよび透磁率を設定しているので、金属面の設置に対応しないタイプの非接触式データキャリア本体を、磁性体シート１０を接着することで、金属面に取り付けて、正常に作動させることが可能となる。これによって、金属面の設置に対応するタイプのアンテナや非接触式データキャリア本体を、新たに設計する必要がなく、経済的であり、生産性を向上させることができる。
【００３７】
磁性体シート１０は、例えばカレンダローラを備えた塗布装置を用いて基材フィルムＰ１上へ粉末状またはペースト状の磁性材料を全面的に塗布し、厚さ調整装置を用いて磁性体層が所定の厚さとなるように調整し、乾燥した後、所定形状の個片に外形抜き加工することで製造することができる。この場合には、外形抜き加工で個片化するから、磁性体シート１０の１個分の基材フィルムＰ１の外形と磁性体層１１の外形とは当然に同一となる。
【００３８】
また、磁性体シート１０は、上記磁性粉末及び樹脂バインダを混合した磁性ペーストをインクとして、グラビア印刷やスクリーン印刷等により、磁性体シート１０の複数個分を縦横に所定間隔で所定厚さ及び所定形状となるように塗布し、乾燥した後、所定形状の個片に抜き加工することでも製造することができる。この場合でも、磁性体シート１０の１個分の基材フィルムＰ１と磁性体層１１の外形を同一にすることはできるが、基材フィルムＰ１の外形が磁性体層１１の外形よりも僅かに大きくなるように抜き加工してもよい。
【００３９】
また、磁性体シート１０は、あらかじめ長尺のシート状に構成された磁性材料を用意し、このシート状の磁性材料と基材フィルムＰ１とを接着剤を介して貼り付けて積層一体化してから、所定形状の個片に外形抜き加工することでも製造することができる。この場合、外形抜き加工で個片化するから、磁性体シート１０の１個分の基材フィルムＰ１と磁性体層１１の外形は当然に同一となる。
【００４０】
いずれにしても、可撓性を有する基材フィルムＰ１を基材とすることで、ロールの形態で扱うことができ、長尺のシートに所定間隔で磁性体シートの複数個分を縦横に配設しロール状に巻き取ることで、磁性体シート１０の大量生産が容易となる。
【００４１】
このようにロールの形態で製造され、長尺の剥離シート上に磁性体シート１０が複数個所定間隔で配置され剥離可能に貼着された、磁性体シートロール１０Ｒの一例を図４に示す。なお、この図４に示す例では、磁性体シート１０は、２列に配置されているが、２列以外に配列されていてもよいことはもちろんである。
【００４２】
次に、上記した磁性体シート１０を貼着することで金属面に貼着して使用することが可能となる非接触式データキャリアの構成の一例として、ラベル形の非接触式データキャリア本体１００の構成を図５〜図７を参照して説明する。
【００４３】
図５は、ラベル形の非接触式データキャリア本体１００の断面を模式的に示した断面図である。図６は、この非接触式データキャリア本体１００が具備しているアンテナ基板２０の一例を模式的に示す平面図、図７はその断面を模式的に示した断面図である。いずれの断面図も、幅方向に対して厚さ方向を極端に強調して示しており、その縮尺は一律ではない。
【００４４】
図５に示すように、この非接触式データキャリア本体１００は、アンテナ基板（非接触式データキャリアインレットともいう）２０と、このアンテナ基板２０の一方の面に接着層１０２を介して貼着され、アンテナ基板２０を被覆して保護する保護シート１０１と、このアンテナ基板２０の他方の面に積層一体化された接着層１０３とから構成された積層体である。この積層体である非接触式データキャリア本体１００が、保護シート１０１を表面側として、裏面側に露出した接着層１０３の接着力により、剥離紙１０４に貼着されている。非接触式データキャリア本体１００は、剥離紙１０４から剥がす（分離する）ことにより、物品等に貼着できるように構成されている。また、この非接触式データキャリア本体１００は、金属及び磁性体の影響のない環境で物品等に貼着した際に１３．５６ＭＨｚ帯のリーダライタと電磁誘導方式により交信できるように調整されている。
【００４５】
保護シート１０１は、例えば、ポリプロピレン（ＰＰ）やポリエチレン（ＰＥ）などの合成樹脂が混合された合成紙、光沢紙、上質紙など、電気絶縁性で、ラベル表面基材として広く知られているシート状の材料から、適宜選択することができる。
【００４６】
接着層１０２、１０３は、具体的には、アクリル系、ゴム系、シリコン系接着剤を使用した両面テープなどで構成される。また、接着層１０２、１０３をアクリル系接着剤使用の両面テープ、特に、再剥離（弱粘着）タイプのアクリル系接着剤を使用した両面テープなどで形成し、物品等の貼着面に対して着脱可能に構成してもよい。
【００４７】
この非接触式データキャリア本体１００は、例えばラベル加工によって形成される。なお、図５に示す例では、保護シート１０１はアンテナ基板２０の平面外形より一回り大きく形成されている。そうすることで、アンテナ基板２０が露出せず保護シート１０１により確実に覆われるので、はがれにくくなるという効果がある。なお、図示しないが、保護シート１０１とアンテナ基板２０とは、ほぼ同じ大きさであってもよい。保護シート１０１とアンテナ基板２０とを同じ大きさにする場合には、１個ずつ所定の大きさに切断してから積層する必要がなく、複数個分をまとめて製作して積層してから個片に切断することによって、非接触式データキャリア本体１００を製造できる。保護シート１０１とアンテナ基板２０とをほぼ同じ大きさにする場合には、保護シート１０１とアンテナ基板２０とを接着する接着層１０２は、図５の場合と異なり、物品等への貼着面として露出しないので、保護シート１０１とアンテナ基板２０とを接着できるものであればよく、物品等への貼着面に露出する接着層１０３と同じ構成にする必要はない。なお、図５に示す例では、アンテナ基板２０を、ＩＣチップ搭載面を下にして配置しているが、ＩＣチップ搭載面を上にして配置してもよい。
【００４８】
なお、非接触式データキャリア本体の構成は、これに限られるものではなく、一般に使用されている公知の非接触式データキャリア本体の構成でもよい。例えば、ラベル形のほか、アンテナ基板を樹脂シートに挟み込んでパウチ加工処理したものや、ラミネート加工処理したものなどでもよい。また、非接触式データキャリア本体は、アンテナ基板そのものであってもよい。
【００４９】
ここで、アンテナ基板２０の構成について説明する。図６および図７に示すように、アンテナ基板２０は、基材フィルムＰ２と、基材フィルムＰ２上に形成されたアンテナコイル２２と、基材フィルムＰ２上に実装されアンテナコイルと電気的に接続されたＩＣチップ２３とを主に備えて構成されている。
【００５０】
基材フィルムＰ２は、電気絶縁性を有するシート状（板状）の基材であって、例えば、ポリエチレンテレフタレート（ＰＥＴ）などで構成されるが、この他にも、例えば、フェノール樹脂、ユリア樹脂、メラミン樹脂、ポリテトラフルオロエチレン、ポリエチレン、ポリプロピレン、ポリスチレン、ポリエーテルサルフォン、ポリフェニレンスルフィド、ＰＢＴ、ポリアリレート、シリコン樹脂、ジアリルフタレート、ポリイミドなどで構成することもできる。基材フィルムＰ２の厚さは、特に限定されないが、例えば、２０μｍ〜５０μｍである。
【００５１】
アンテナコイル２２は、基材フィルムＰ２の一方の面上を、基材フィルムＰ２の外形に沿うように所定回数周回して形成されている。例えば、アンテナの外形（アンテナコイルの最外周の導体パターンの外形）が４５ｍｍ×２７ｍｍの場合、１３．５６ＭＨｚ帯用に必要なインダクタンスを確保するため、アンテナコイルの周回数は９回程度とされている。アンテナコイル２２の一端部２２ａは、ＩＣチップ２３の接続バンプ２４の一方に接続されている。一方、アンテナコイル２２の他端部は、基材フィルムＰ２の他方の面上に配線されるジャンパ線（端子間接続パターン）２５の一端部２５ａに接続され、さらにジャンパ線２５の他端部２５ｂは、基材フィルムＰ２の一方の面上に配線される配線パターンの基端部２２ｂに接続されている。この配線パターンの基端部２２ｂは、ＩＣチップ２３の接続バンプ２４の他方と接続されている。アンテナコイル２２、ジャンパ線２５は、基材フィルムＰ２の面上に形成されたアルミニウムなどの導体からなる導体パターンであり、例えばフォトリソグラフィ技術およびエッチングにより形成されるが、銅その他の導体により形成されてもよい。
【００５２】
ＩＣチップ２３には、電源バックアップ不要で、かつ書き換え可能な不揮発性メモリや無線交信のためのＲＦ回路の他、コンデンサなども搭載されている（図示せず）。
【００５３】
このように基材フィルムＰ２上でそれぞれ接続されるアンテナコイル２２、ＩＣチップ２３内のコンデンサによって、１３．５６ＭＨｚ帯の信号を送受信するためのアンテナ全体の共振回路が構成される。なお、アンテナ全体の共振回路を構成するコンデンサ（キャパシタ）としては、ＩＣチップ２３内のコンデンサに限らず、薄型のチップコンデンサや、導体パターン（容量パターン）の印刷によるコンデンサを別途設けてもよい。
【００５４】
リーダライタ等の外界からの１３．５６ＭＨｚ帯の信号をアンテナコイル２２により受信すると、その磁界によりアンテナコイル２２に電流が流れ、それにより、ＩＣチップ２３が起動される。すると、ＩＣチップ２３は、受信された信号に応答してアンテナコイル２２から信号を送信させる。このようにして、アンテナ基板２０は１３．５６ＭＨｚ帯のリーダライタと交信する。
【００５５】
なお、アンテナ基板（非接触式データキャリアインレットともいう）の構成は、これらに限られるものではなく、１３．５６ＭＨｚ帯の信号を送受信するためのアンテナであれば、その他公知のアンテナ基板の構成でもよい。
【００５６】
次に、上記非接触式データキャリア本体１００のアンテナ基板２０に磁性体シート１０を貼着することにより製造した金属対応の非接触式データキャリア３００について説明する。
【００５７】
図８は、非接触式データキャリア３００を模式的に示す平面図であり、図９はこの非接触式データキャリア３００を金属面３５０に取り付けた状態の断面図である。図８において、破線で記した矩形の領域は、アンテナ基板２０の外形を示し、二点鎖線で記した矩形の領域は、磁性体シート１０の外形を示している。いずれも、保護シート１０１に被覆されて、非接触式データキャリア３００の表面からは見えないことを示している。また、符号Ｗｍ、Ｌｍは、磁性体シート１０の外形の幅、長さをそれぞれ示し、符号Ｗｔ、Ｌｔは、アンテナ基板２０に形成されたアンテナの外形の幅、長さをそれぞれ示している。
【００５８】
図８および図９に示すように、非接触式データキャリア３００は、非接触式データキャリア本体１００と、磁性体シート１０とを具備する。非接触式データキャリア本体１００と磁性体シート１０とは、非接触式データキャリア本体１００の裏面に設けられた接着層１０３を介して貼着されている。また、非接触式データキャリア３００は、磁性体シート１０の一方の面に設けられた接着層１２を介して金属面５に貼着されている。なお、接着層はこれに限られるものではない。
【００５９】
また、図８および図９に示すように、磁性体シート１０は、アンテナ基板２０のアンテナを全面的に覆うように、アンテナの外形よりも僅かに大きく形成されている。そして、アンテナ基板２０のアンテナが磁性体シート１０からはみ出ないように、アンテナ基板２０のアンテナは磁性体シート１０のほぼ中央に配置されて積層されている。
【００６０】
なお、図９に示すように、この例では、アンテナ基板２０のアンテナ２２面（ＩＣチップ搭載面）を磁性体シート１０側に向けて貼着している。これは、非接触式データキャリア本体１００におけるアンテナ基板２０の向き（図５参照）に合わせたものである。アンテナ２２面を逆側に向けて貼着してもよいことはもちろんである。すなわち、磁性体シート１０がアンテナ基板２０と金属面５との間に介在するように積層されて、非接触式データキャリア本体１００のアンテナ基板２０が金属面に貼着される構成であればよい。
【００６１】
また、アンテナ基板２０のＩＣチップ搭載面を磁性体シート１０側に向けて貼着する場合、あらかじめ、磁性体シート１０のＩＣチップ搭載箇所に対応する領域にＩＣチップを陥入できる程度の大きさの穴をあけておくことが好ましい（図示せず）。アンテナ基板のＩＣチップ搭載箇所が他の部分に比べて厚いことにより磁性体シート１０との間に歪みや隙間が生じるのを防ぎ、ラベル形非接触式データキャリアとしての平坦性を確保するためである。また、ＩＣチップを磁性体シート１０に設けた穴内に陥入させることでＩＣチップを外界からの圧力や衝撃等から防ぐためでもある。
【００６２】
このように、磁性体シート１０と、非接触式データキャリア本体１００とをそれぞれ別個に構成し、それぞれを、接着層を介して貼着することで、非接触式データキャリア本体１００が、金属面の設置に対応しないタイプであっても、金属面に取り付けて、正常に作動させることが可能となる。
【００６３】
次に、磁性体シート１０の磁性体層１１の透磁率と厚さについて、上記した範囲に設定するのが好適であることを説明する。
【実施例】
【００６４】
磁性体層の透磁率と厚さの適切な値を調べるため、磁性体シート１０の磁性体層１１の透磁率と厚さを変えて、磁性体及び金属の影響がない場合の非接触式データキャリア本体のみの共振周波数と、この非接触式データキャリア本体に、磁性体シート１０を貼着し、その磁性体シート１０側を図１０にその断面を模式的に示すように金属面に貼着した状態の共振周波数とを計測する実験を行った。
【００６５】
すなわち、被着体の金属面と非接触式データキャリアのアンテナ面とが間隔が、例えば１ｍｍ未満、特に０．５ｍｍに満たないほど近接した状況下で、１３．５６ＭＨｚ帯のリーダライタと交信しようとすれば、リーダライタのアンテナからの磁界は、金属面にも届くことになり、渦電流が発生して反磁界が生じる結果、非接触式データキャリアのアンテナの共振周波数が上昇することが予想される。一方、金属面と非接触式データキャリアのアンテナ面との間に磁性体層を介在させると、アンテナコイルのインダクタンスが上昇する結果、非接触式データキャリアのアンテナの共振周波数が低下することが予想される。そこで、非接触式データキャリア本体のみのときの共振周波数と、磁性体シートを介して金属面に貼着したときの共振周波数とが、実用的な範囲で同等になった場合には、金属の影響によるアンテナの共振周波数の上昇分を実質的に相殺できたと考えられる。そのような場合の磁性体層の透磁率及び厚さを調べるのが本実験の目的である。
【００６６】
実験に用いた非接触式データキャリア本体は、保護シートを積層しない状態のアンテナ基板そのものである。このアンテナ基板は、上記実施形態で説明したアンテナ基板２０と同様の構成のものである。基材フィルムＰ２としては、厚さ２５〜４０μｍの略一定の厚さのポリエチレンテレフタレート（ＰＥＴ）を用いた。アンテナコイル２２は、アルミニウム箔のエッチングにより、アンテナ基板の外形に沿って、形成した渦巻状の導体パターンである。このアンテナコイルの両端にＩＣチップ２３が接続されている。各実施例および比較例のいずれも、アンテナの外形は同じ４５ｍｍ×２７ｍｍの矩形状である。しかし、アンテナコイルの渦巻状の導体パターンの巻き回数は上記の実施形態で一例として示した９回とは異なる場合もある。また、アンテナコイルの渦巻状の導体パターンの内側に、静電容量調整用の導体パターンが表面及び裏面に形成され、アンテナコイルと電気的に並列に接続された場合もある。
【００６７】
磁性体シート１０の外形は、このアンテナの外形よりも一辺の長さがそれぞれ３ｍｍずつ長い、４８ｍｍ×３０ｍｍの矩形状とした。これは、磁性体シート１０の縁部がアンテナコイル最外周の縁部を越えた幅が、ほぼ均等に１．５ｍｍずつになるように余裕を持たせた外形とし、アンテナを磁性体シート１０で確実に被覆できるように配慮したものである。そして、図８および図９に示すように、アンテナを確実に覆うように、アンテナが磁性体シート１０の外形のちょうど中央に来るようにして貼着した。
【００６８】
貼着対象（被着体）の金属として、例えば厚さ５ｍｍのアルミニウム板を用いた。なお、ここでは明記しないが、本発明者らは、別途、非接触データキャリアの貼着対象となりそうな物品の表面を構成する材料として一般的な導電性金属材料（例えば、鉄、アルミニウム、銅など）を用いて、貼着対象の金属を変えて共振周波数の差を調べる実験を行い、金属の種類による共振周波数の差は、有意な差ではないことを確認している。
【００６９】
図１０に示すように、この実験では、非接触式データキャリア本体のアンテナ面側すなわちＩＣチップ搭載面側を下にして、下側に一定の厚さの接着層Ｎ１を介して、磁性体シート１０に貼着し、その磁性体シート１０の反対側を、一定の厚さの接着層Ｎ２を介して金属面５に貼着した。
【００７０】
なお、金属面とアンテナ面との距離は、接着層Ｎ１の厚さ４０μｍ、接着層Ｎ２の厚さ４０μｍ、および磁性体シート１０の基材フィルムＰ１の厚さ２５μｍの合計１０５μｍに、磁性体層１１の厚さを加えたものとなっている。磁性体層１１の厚さは、入手できた磁性シート材料に合わせ、５０μｍ以上３００μｍ以下の範囲で適宜変化させた。すなわち、金属面とアンテナ面との距離は、１５５μｍ以上４０５μｍ以下となり、０．５ｍｍ未満と短くなっている。すなわち、金属面とアンテナ面とは近接している。また、金属面と磁性体面との距離は、接着層Ｎ２の厚さ４０μｍと基材フィルムＰ１の厚さ２５μｍの合計であるから６５μｍである。
【００７１】
このようにして、行った実験結果を表１に示す。表１において、厚さの単位はμｍ、共振周波数の単位はＭＨｚである。ここで、「透磁率」とは、上記したように、１３．５６ＭＨｚ帯の電磁波における比透磁率（初透磁率）のことである。実際には、実験に使用した磁性体シート材料それぞれのメーカのカタログ等による公称値である。
【００７２】
表１において、「可否」の欄は、本発明の磁性体シートとして用いることができるか否かを示したものである。すなわち、非接触式データキャリア本体のみ（アンテナ基板のみ）の状態の共振周波数と、磁性体シートを介して金属面に貼着した状態の共振周波数とが実用的な範囲内で同等（例えば、両共振周波数の差が０〜１ＭＨｚ未満、好ましくは０〜０．５ＭＨｚ未満）と判断した場合を「可」、そうでない場合を「否」としている。便宜上、「可」と判断したものを実施例とし、「否」と判断したものを比較例として、区別して示している。
【表１】
2007243468.tif 000003
この表１の結果を、「可」の場合を「○」（白丸）で、「否」の場合を「×」でプロットしてグラフ化したものを図１１に示す。
【００７３】
表１および図１１に示された測定結果から、アンテナサイズが４５ｍｍ×２７ｍｍ、磁性体シートのサイズが４８ｍｍ×３０ｍｍで、かつ、磁性体シートでアンテナを確実に覆った場合には、次のことがわかった。
【００７４】
磁性体層の厚さが９０μｍ以上１５０μｍ以下で透磁率が３５以上４３以下の範囲で、本体のみの状態の共振周波数と、磁性体シートを介して金属面に貼着した状態の共振周波数との差が０．１ＭＨｚ〜０．４ＭＨｚであり、好適であることがわかった（実施例１〜４参照）。また、透磁率が３５の場合、磁性体層の厚さが１００μｍなら好適であるが、磁性体層の厚さが５０μｍ、２００μｍ、３００μｍの場合には、不適（「否」）であることがわかった（実施例３、比較例１、３、６参照）。
【００７５】
実施例１、２と比較例２との違いから、磁性体層の厚さが９０μｍの場合には、貼着対象の金属面の影響によるアンテナの共振周波数の上昇分を相殺する周波数の低下分を得るのに必要な透磁率は、３１では足りないが、４２あれば十分であることがわかった。
【００７６】
そこで、磁性体層の製造誤差その他の誤差を考慮して、若干範囲を広げ、磁性体層の厚さが８０μｍ以上１６０μｍ以下で透磁率が３３以上４７以下の範囲で、好適（「可」）になると判断した。図１１のグラフでは、この範囲を破線で囲んで示している。
【００７７】
また、磁性体層の厚さが２５０μｍの場合、透磁率が１８および２３では「可」だが（実施例５、６）、３７では「否」となることがわかった（比較例４）。また、磁性体層の厚さが３００μｍの場合、透磁率が２５でも３５でも「否」となることがわかった（比較例５、６）。そこで、磁性体層の製造誤差その他の誤差も考慮して、若干範囲を広げ、磁性体層の厚さが２２０μｍ以上２８０μｍ以下で透磁率が１５以上２８以下の範囲で、「可」になると判断した。図１１のグラフでは、この範囲も破線で囲んで示している。
【００７８】
比較例３、５、６では、磁性体シート１０を介して非接触式データキャリア本体を金属面に貼着した場合のアンテナの周波数は、１３．５６ＭＨｚ帯用として通信するのに適した周波数になっているのでよいようにも思える。しかし、比較例３、５、６では、アンテナの周波数をあらかじめ２ＭＨｚ程度高くして、１５．５ＭＨｚ程度としているので、この非接触式データキャリア本体のみでは、１３．５６ＭＨｚ帯用として使うことはできない。したがって、比較例３、５、６の磁性体シートは、本発明の磁性体シートとしては不適である。
【００７９】
なお、この例では、アンテナ面を磁性体シート１０面側（磁性体層１１面側）にして貼着したが、発明者は、別途、アンテナ面を磁性体シート１０面側とは反対側にして貼着しても結果において優位な差は得られないことを確認済みである。
【００８０】
上記では接着層Ｎ１、Ｎ２をそれぞれ４０μｍに固定して計測した。本発明者が行った別の実験では、接着層Ｎ１、Ｎ２をそれぞれ２５μｍ以上１６０μｍ以下の範囲でいろいろに変更した場合、その共振周波数の変化は、せいぜい数１０ＫＨｚ程度であることがわかった。すなわち、接着層の厚さは、２５μｍ以上１６０μｍ以下の範囲であれば、共振周波数に対して多少の影響を与えるが大きな影響を与えない。
【００８１】
なお、この実験は、アンテナコイルの最外周の導体パターンが４５ｍｍ×２７ｍｍの矩形状の外形を有するアンテナ基板について行ったものである。アンテナの共振周波数は、アンテナコイルのインダクタンスの関数であり、アンテナコイルのインダクタンスは、アンテナの外形面積に比例すると考えられるから、この実験結果は、アンテナの外形が異なる場合であっても、アンテナの外形面積が同一の場合、すなわち、４５ｍｍ×２７ｍｍ＝１２１５ｍｍ２の場合については、適用できると考えられる。実際には、アンテナの外形の各辺の長さがそれぞれ５ｍｍ前後異なる場合でも、同等の透磁率および厚さの磁性体層を積層して同等の効果が得られることが経験的に確認できるから、アンテナの外形面積が８８０ｍｍ２以上１６００ｍｍ２以下の場合にも上記結果は適用できると考えられる。さらに、アンテナサイズが４５ｍｍ×４５ｍｍの場合についての実験結果およびその製造誤差等を考慮すると、アンテナの外形面積が最大２５００ｍｍ２でも適用できる場合があると考えられる。
【００８２】
したがって、本発明による磁性体シートは、アンテナの外形面積が８８０ｍｍ２以上２５００ｍｍ２以下、好ましくは、アンテナの外形面積が８８０ｍｍ２以上１６００ｍｍ２以下の場合には、透磁率が３３以上４７以下で厚さが８０μｍ以上１６０μｍ以下、または、透磁率が１５以上２８以下で厚さが２２０μｍ以上２８０μｍ以下であることが好ましい。
【００８３】
言い換えると、本発明の非接触式データキャリア用磁性体シートは、磁性体シートの外形面積が８８０ｍｍ２以上２９００ｍｍ２以下、好ましくは、８８０ｍｍ２以上１６００ｍｍ２以下であって、磁性体シートの磁性層は、透磁率が３３以上４７以下で厚さが８０μｍ以上１６０μｍ以下、または、透磁率が１５以上２８以下で磁性層の厚さが２２０μｍ以上２８０μｍ以下であることが好ましい。
【００８４】
次に、アンテナサイズが４５ｍｍ×４５ｍｍの場合について、磁性体層の厚さと透磁率を変えて、共振周波数と通信距離を計測する実験を行った結果について説明する。
【００８５】
表２は、それぞれの試料について、非接触式データキャリア本体と磁性体シートと金属板とをそれぞれ接着層を介して貼着した状態と、非接触式データキャリア本体に接着層を介して磁性体シートを貼着した状態と、非接触式データキャリア本体のみの状態の３つの状態について、共振周波数と通信距離を計測した結果を示したものである。接着層の厚さや、アンテナ面の向きなど、貼着の仕方は、表１のところで説明した実験方法の場合と同じである。
【００８６】
なお、通信距離は、リーダライタ（ウェルキャット製ハンディリーダライタ；ＲＣＴ−２００−０１、オプションアンテナなし）の位置を変えて測定した。なお、ここでの通信距離とは、リーダライタのアンテナ３の表面とそれに対向する非接触式データキャリア本体のアンテナ基板２０の表面との距離ｄである（図１０参照）。
【表２】
2007243468.tif 000004
【００８７】
表２に示すとおり、磁性体層の厚さが１００μｍで透磁率が３４〜３７の場合（試料２）には、本体のみの共振周波数が１３．２２ＭＨｚで、この本体に磁性体シートを貼着した場合の共振周波数が１０．８２ＭＨｚ、この磁性体シート側を接着層を介して金属板に貼着した場合が１３．５ＭＨｚであることがわかった。したがって、アンテナサイズが４５ｍｍ×４５ｍｍ（アンテナの外形面積が２０２５ｍｍ２）の場合においても、磁性体層の厚さが１００μｍで透磁率が３４〜３７の場合（試料２）には、本発明の磁性体シートとして好適なことがわかった。
【００８８】
一方、磁性体層の厚さが５０μｍで透磁率が３４〜３７の場合（試料１）には、アンテナ基板単体でのアンテナの共振周波数をある程度低く設定しておかないと磁性体シートを積層して金属板に貼着した場合に１３．５ＭＨｚで交信することができないため、本発明の磁性体シートとしては不適なことが確認できた。磁性体層の厚さが３００μｍで透磁率が２５〜２８の場合（試料３）には、磁性体層が厚い分、金属面に貼着した場合の通信距離は他の試料の場合に比べて伸びた。しかし、予想通り、あらかじめ、アンテナ基板単体でのアンテナの共振周波数をある程度高く設定しておかないと磁性体シートを積層して金属板に貼着した場合に１３．５ＭＨｚで交信することができないため、本発明の磁性体シートとしては不適なことが確認できた。
【００８９】
以上、本発明を実施の形態により具体的に説明したが、本発明はこれらの実施形態にのみ限定されるものではなく、その要旨を逸脱しない範囲で種々変更可能である。例えば、上記実施形態では、本発明の磁性体シートは、基材フィルムと磁性体層を分けて構成していたが、基材フィルムを必要とせず、磁性体層のみの構成としてもよい。
【図面の簡単な説明】
【００９０】
【図１】本発明の一実施形態に係る磁性体シートを剥離紙に貼着した状態の平面図。
【図２】図１に示す磁性体シートの断面図。
【図３】両面に接着層および剥離紙が積層された磁性体シートを示す断面図。
【図４】図１に示す磁性体シートが複数配設された磁性体シートロールを示す図。
【図５】磁性体シートが積層されるラベル形の非接触式データキャリア本体の一例を示す断面図。
【図６】アンテナ基板の一例を示す平面図。
【図７】図６に示すアンテナ基板の断面図。
【図８】本発明の一実施形態に係る磁性体シートを貼着した非接触式データキャリアを示す平面図。
【図９】図８に示す非接触式データキャリアを金属面に貼着した状態を模式的に示す断面図。
【図１０】金属面に貼着した状態の非接触式データキャリアとリーダライタのアンテナとの関係を模式的に示す断面図。
【図１１】アンテナの外形が４５ｍｍ×２７ｍｍの矩形状の場合のアンテナ基板に好適な磁性体シートの透磁率と厚さを調べた実験結果を示す図。
【符号の説明】
【００９１】
１０…磁性体シート、１１…磁性体層、Ｐ１…磁性体シートの基材フィルム、２０…アンテナ基板、Ｐ２…アンテナ基板の基材フィルム、２２…アンテナコイル、２３…ＩＣチップ、１００…非接触式データキャリア本体、３００…非接触式データキャリア。
【図１】
2007243468.tif 000005
【図２】
2007243468.tif 000006
【図３】
2007243468.tif 000007
【図４】
2007243468.tif 000008
【図５】
2007243468.tif 000009
【図６】
2007243468.tif 000010
【図７】
2007243468.tif 000011
【図８】
2007243468.tif 000012
【図９】
2007243468.tif 000013
【図１０】
2007243468.tif 000014
【図１１】
2007243468.tif 000015